【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
錠剤を所望の個数ずつ排出し、他の機器に供給する薬棚装置であって、
複数の錠剤容器を取り付けられる容器取付部と、複数の錠剤供給経路と、前記錠剤供給経路を経て供給された錠剤を受け止める受止部と、前記受止部で受け止めた錠剤を押して移動させる錠剤押出片部とを備え、
前記錠剤供給経路は、前記錠剤容器から供給された錠剤を前記受止部に供給する経路を形成するものであり、
処方に関するデータに基づいて、前記受止部に供給する錠剤を収容した前記錠剤容器を特定する容器特定動作を実施し、特定した前記錠剤容器に対応する前記錠剤供給経路に応じて、前記錠剤押出片部の待機位置を変更することを特徴とする薬棚装置。
【請求項２】
錠剤を所定位置まで搬送する錠剤搬送装置を有し、
前記錠剤搬送装置は、一次搬送部を備え、
前記一次搬送部は、薬棚装置側から前記他の機器側へ向かう方向と交わる方向へ錠剤を搬送する部分であり、且つ、前記受止部と、前記錠剤押出片部を有しており、
前記一次搬送部は、搬送方向に前記錠剤押出片部を移動させ、前記錠剤押出片部によって錠剤を押し動かして搬送するものであり、
前記錠剤供給経路のそれぞれは、前記受止部の異なる位置に錠剤を供給するものであり、
前記錠剤押出片部の待機位置は、前記錠剤押出片部の移動方向の上流側の基準待機位置と、当該基準待機位置よりも下流側に位置する変更待機位置を含むことを特徴とする請求項１に記載の薬棚装置。
【請求項３】
錠剤を所定位置まで搬送する錠剤搬送装置を有し、
前記錠剤搬送装置は、一次搬送部と二次搬送部を備え、且つ、それぞれの前記錠剤容器から供給された錠剤を所定位置まで搬送するものであり、
前記一次搬送部は、薬棚装置側から前記他の機器側へ向かう方向と交わる方向へ錠剤を搬送する部分であり、
前記二次搬送部は、薬棚装置側から前記他の機器側へ向かう方向へ錠剤を搬送するものであって、
錠剤を前記一次搬送部で搬送した後に前記二次搬送部で搬送する動作と、錠剤を前記一次搬送部で搬送せずに前記二次搬送部で搬送する動作のそれぞれが可能であることを特徴とする請求項１又は２に記載の薬棚装置。
【請求項４】
前記他の機器は、薬剤を収容する収容凹部が形成されたトレーに対し、薬剤を供給する装置であることを特徴とする請求項１乃至３のいずれかに記載の薬棚装置。
【請求項５】
分包装置と、請求項１乃至４のいずれかに記載の薬棚装置を備えた薬剤分包ユニットであって、
各種情報を表示するための表示装置を有し、
前記容器取付部は、個別に前記錠剤容器が設置される個別設置部を複数有し、
処方に関するデータに基づいて、指定期間に使用される可能性が高い錠剤及び当該錠剤を収納する前記錠剤容器を特定する使用錠剤予測動作を実行可能であり、
前記表示装置は、推奨容器提示画面を表示可能であり、当該推奨容器提示画面は、前記容器取付部における前記錠剤容器の設置状況を示す設置状況表示部を少なくとも含むものであり、
前記設置状況表示部では、前記容器取付部を模式的に示し、且つ、前記使用錠剤予測動作で特定された錠剤を収納する前記錠剤容器が設置されていない前記個別設置部が強調表示されることを特徴とする薬剤分包ユニット。
【請求項６】
前記推奨容器提示画面は、前記使用錠剤予測動作で特定した錠剤をリスト表示する予定錠剤表示部をさらに含むものであり、且つ、前記設置状況表示部と前記予定錠剤表示部を同時に目視可能に表示する画面であり、
前記予定錠剤表示部では、前記容器取付部に設置された前記錠剤容器に収容されていない錠剤が強調表示されることを特徴とする請求項５に記載の薬剤分包ユニット。
【請求項７】
錠剤を収容する錠剤容器から前記錠剤を所望の個数ずつ排出し、他の機器に供給する薬棚装置であって、
複数の錠剤供給経路と、前記錠剤供給経路を経て供給された錠剤を受け止める受止部と、前記受止部で受け止めた錠剤を押して移動させる錠剤押出片部とを備え、
前記錠剤供給経路は、前記錠剤容器から供給された錠剤を前記受止部に供給する経路を形成するものであり、
前記錠剤押出片部の移動方向で最も上流側に位置する前記錠剤供給経路から供給される錠剤の落下位置よりも上流側の位置を基準の位置としたとき、
処方に関するデータに基づいて、前記受止部に供給する錠剤を収容した前記錠剤容器を特定する容器特定動作を実施し、容器特定動作の結果に基づき、前記基準の位置よりも下流側の位置を前記錠剤押出片部の待機位置とすることを特徴とする薬棚装置。
【手続補正２】
【補正対象書類名】明細書
【補正対象項目名】全文
【補正方法】変更
【補正の内容】
【発明の詳細な説明】
【発明の名称】薬棚装置及び薬剤分包ユニット
【技術分野】
【０００１】
本発明は、錠剤を収納した錠剤容器が設置され、薬剤を包装したり仕分ける装置に錠剤を供給する薬棚装置に関する。また、このような薬棚装置と分包装置を備えた薬剤分包ユニットに関する。
【背景技術】
【０００２】
錠剤や散薬等の薬剤を１服用分ずつ包装する薬剤包装装置と組み合わされて使用される薬棚装置が知られている。この種の薬棚装置は、錠剤を収納した錠剤容器を複数保持可能であり、錠剤容器から排出された錠剤を薬剤包装装置に供給する。
例えば、このような薬棚装置として、特許文献１に開示された薬棚装置（錠剤カセット棚）が知られている。
【０００３】
特許文献１に開示された錠剤カセット棚は、薬剤包装装置の一部を形成するものであり、薬剤を包装する部分と一体に形成されている。そして、この錠剤カセット棚は、錠剤を収納した錠剤カセット（薬剤容器）を複数載置（取り付け）可能であり、薬剤を包装する部分に対して錠剤カセット内の錠剤を供給可能となっている。
【先行技術文献】
【特許文献】
【０００４】
【特許文献１】特許第４５０５１９９号公報
【発明の概要】
【発明が解決しようとする課題】
【０００５】
ところで、薬剤包装装置を運用する薬局では、多数の来客が訪れることもあり、より分包動作の高速化が求められている。
しかしながら、従来の薬棚装置は、より素早く錠剤の供給動作を実施するという観点から、改良の余地があった。すなわち、薬剤包装のための動作及びそれに関する動作を効率よく実施可能とするという観点から改良の余地があった。
【０００６】
そこで本発明は、動作のさらなる高速化が可能な薬棚装置の提供を課題とする。また、薬棚装置と分包装置を備えた薬剤分包ユニットの提供を課題とする。
【課題を解決するための手段】
【０００７】
上記課題を解決するための本発明の一つの様相は、錠剤を所望の個数ずつ排出し、他の機器に供給する薬棚装置であって、複数の錠剤容器を取り付けられる容器取付部と、複数の錠剤供給経路と、前記錠剤供給経路を経て供給された錠剤を受け止める受止部と、前記受止部で受け止めた錠剤を押して移動させる錠剤押出片部とを備え、前記錠剤供給経路は、前記錠剤容器から供給された錠剤を前記受止部に供給する経路を形成するものであり、処方に関するデータに基づいて、前記受止部に供給する錠剤を収容した前記錠剤容器を特定する容器特定動作を実施し、特定した前記錠剤容器に対応する前記錠剤供給経路に応じて、前記錠剤押出片部の待機位置を変更することを特徴とする薬棚装置である。
また、関連する様相は、薬剤を所望の個数ずつ排出し、他の機器に供給する薬棚装置であって、複数の錠剤容器を取り付けられる容器取付部と、錠剤を所定位置まで搬送する錠剤搬送装置と、複数の錠剤供給経路を有し、前記錠剤供給経路は、対応する前記錠剤容器から供給された錠剤を前記錠剤搬送装置に供給する経路を形成するものであり、前記錠剤搬送装置は、錠剤を押して移動させる錠剤押出片部を備え、供給する錠剤を収容した前記錠剤容器を処方に関するデータに基づいて特定する容器特定動作を実施し、特定した前記錠剤容器に対応する前記錠剤供給経路に応じて、前記錠剤押出片部の待機位置を変更することを特徴とする薬棚装置である。
【０００８】
なお、ここでいう「錠剤」とは、薬剤を一定の形状に圧縮したものの他、カプセル剤等の粒状に形成した固形剤全般を含むものとし、以下の記載も同様とする。
本様相によると、錠剤押出片部の待機位置を定位置とする場合に比べ、薬剤包装装置に錠剤を供給する動作を高速化できるので、好ましい。
【０００９】
上記した様相は、錠剤を所定位置まで搬送する錠剤搬送装置を有し、前記錠剤搬送装置は、一次搬送部を備え、前記一次搬送部は、薬棚装置側から前記他の機器側へ向かう方向と交わる方向へ錠剤を搬送する部分であり、且つ、前記受止部と、前記錠剤押出片部を有しており、前記一次搬送部は、搬送方向に前記錠剤押出片部を移動させ、前記錠剤押出片部によって錠剤を押し動かして搬送するものであり、前記錠剤供給経路のそれぞれは、前記受止部の異なる位置に錠剤を供給するものであり、前記錠剤押出片部の待機位置は、前記錠剤押出片部の移動方向の上流側の基準待機位置と、当該基準待機位置よりも下流側に位置する変更待機位置を含むことが好ましい。
言い換えると、前記錠剤搬送装置は、一次搬送部を備え、前記一次搬送部は、薬棚装置側から前記他の機器側へ向かう方向と交わる方向へ錠剤を搬送する部分であり、且つ、供給された錠剤を受け止める受止部と、前記錠剤押出片部を有しており、前記一次搬送部は、搬送方向に前記錠剤押出片部を移動させ、前記錠剤押出片部によって錠剤を押し動かして搬送するものであり、前記錠剤供給経路のそれぞれは、前記受止部の異なる位置に錠剤を供給するものであり、前記錠剤押出片部の待機位置は、前記錠剤押出片部の移動方向の上流側の基準待機位置と、当該基準待機位置よりも下流側に位置する変更待機位置を含むことが好ましい。
【００１０】
また、上記した様相は、錠剤を所定位置まで搬送する錠剤搬送装置を有し、前記錠剤搬送装置は、一次搬送部と二次搬送部を備え、且つ、それぞれの前記錠剤容器から供給された錠剤を所定位置まで搬送するものであり、前記一次搬送部は、薬棚装置側から前記他の機器側へ向かう方向と交わる方向へ錠剤を搬送する部分であり、前記二次搬送部は、薬棚装置側から前記他の機器側へ向かう方向へ錠剤を搬送するものであって、錠剤を前記一次搬送部で搬送した後に前記二次搬送部で搬送する動作と、錠剤を前記一次搬送部で搬送せずに前記二次搬送部で搬送する動作のそれぞれが可能であることが好ましい。
【００１１】
この好ましい様相によると、数多くの錠剤容器が設置される場合でも、錠剤の供給動作の高速化を図ることができる。
すなわち、従来技術の薬棚装置では、数多くの錠剤容器を設置するために錠剤容器を設置する部分を大きくすると、広い範囲の様々な場所に錠剤容器が配されることとなり、錠剤を所定の位置まで搬送するのに時間が掛かってしまうという問題がある。
これに対して様相によると、複数の搬送経路があり、一次搬送部をショートカットして搬送することもできるので、搬送に要する時間が短い。
【００１２】
また、上記した様相は、前記他の機器は、薬剤を収容する収容凹部が形成されたトレーに対し、薬剤を供給する装置であることが好ましい。
【００１３】
本発明の他の様相は、分包装置と、上記した薬棚装置を備えた薬剤分包ユニットであって、各種情報を表示するための表示装置を有し、前記容器取付部は、個別に前記錠剤容器が設置される個別設置部を複数有し、処方に関するデータに基づいて、指定期間に使用される可能性が高い錠剤及び当該錠剤を収納する前記錠剤容器を特定する使用錠剤予測動作を実行可能であり、前記表示装置は、推奨容器提示画面を表示可能であり、当該推奨容器提示画面は、前記容器取付部における前記錠剤容器の設置状況を示す設置状況表示部を少なくとも含むものであり、前記設置状況表示部では、前記容器取付部を模式的に示し、且つ、前記使用錠剤予測動作で特定された錠剤を収納する前記錠剤容器が設置されていない前記個別設置部が強調表示されることを特徴とする薬剤分包ユニットである。
【００１４】
この様相によると、分包動作を実施する前に、使用する可能性の高い錠剤容器を予め容器取付部に保管させておく（取り付けておく）ことが可能となり、その作業（取り付け作業）の容易化を図ることができる。そして、使用頻度の高い錠剤が収納された錠剤容器から優先的に容器取付部に保管させることで、分包動作で使用する錠剤の大多数を自動で薬剤包装装置に供給することが可能となり、錠剤を手動で薬剤包装装置に供給する作業の回数を減らすことができる。結果、分包動作の高速化を図ることができる。
【００１５】
この様相は、前記推奨容器提示画面は、前記使用錠剤予測動作で特定した錠剤をリスト表示する予定錠剤表示部をさらに含むものであり、且つ、前記設置状況表示部と前記予定錠剤表示部を同時に目視可能に表示する画面であり、前記予定錠剤表示部では、前記容器取付部に設置された前記錠剤容器に収容されていない錠剤が強調表示されることがさらに好ましい。
【００１６】
また、この様相は、前記分包装置は、薬剤を収容する収容凹部が形成されたトレーに対し、薬剤を供給する装置であることが好ましい。
本発明のさらに他の様相は、錠剤を収容する錠剤容器から前記錠剤を所望の個数ずつ排出し、他の機器に供給する薬棚装置であって、複数の錠剤供給経路と、前記錠剤供給経路を経て供給された錠剤を受け止める受止部と、前記受止部で受け止めた錠剤を押して移動させる錠剤押出片部とを備え、前記錠剤供給経路は、前記錠剤容器から供給された錠剤を前記受止部に供給する経路を形成するものであり、前記錠剤押出片部の移動方向で最も上流側に位置する前記錠剤供給経路から供給される錠剤の落下位置よりも上流側の位置を基準の位置としたとき、処方に関するデータに基づいて、前記受止部に供給する錠剤を収容した前記錠剤容器を特定する容器特定動作を実施し、容器特定動作の結果に基づき、前記基準の位置よりも下流側の位置を前記錠剤押出片部の待機位置とすることを特徴とする薬棚装置である。
【発明の効果】
【００１７】
本発明によると、薬剤を所定の位置まで搬送する際の動作のさらなる高速化が可能な薬棚装置、並びに薬剤分包ユニットの提供が可能となる。
【図面の簡単な説明】
【００１８】
【図１】本発明の実施形態にかかる薬棚付包装装置を示す斜視図である。
【図２】図１の薬棚付包装装置を示す斜視図であり、薬剤包装装置を模式的且つ透過して示す。
【図３】図２の錠剤カセット棚から薬剤包装装置に錠剤を供給する際、カセット棚の内部で錠剤が移動する様子を模式的に示す概念図である。
【図４】図２の錠剤供給装置を示す斜視図である。
【図５】図４の片側錠剤受止部の内部機構を示す斜視図である。
【図６】図４の片側錠剤受止部の内部で回動板部が回動する様子を示す説明図であり、（ａ）は回動板部によって錠剤導入空間の下方側が閉塞された状態を示し、（ｂ）は錠剤導入空間の下方側が開放された状態を示す。
【図７】横搬送部を示す斜視図であり、上側前方に位置する壁状部分の一部を省略して示す。
【図８】横搬送部の内部機構を示す斜視図である。
【図９】図４の落下経路形成部の内部構造及びその周辺を示す説明図であり、落下経路形成部の前方側に位置する壁状部分を省略して示す図であって、（ａ）、（ｂ）はそれぞれ異なる方向からみた様子を示す。
【図１０】錠剤押出部の内部構造の要部を示す断面図である。
【図１１】錠剤押出部で錠剤を搬送する様子を示す説明図であり、（ａ）は、錠剤搬送装置が第１待機姿勢をとる様子を示し、（ｂ）は（ａ）の状態から錠剤搬送装置全体が錠剤搬出口部側へ移動した様子を示し、（ｃ）は（ｂ）の状態から搬送体部のみが錠剤搬出口部側へ移動した様子を示す。
【図１２】裏側からみた図２の錠剤カセット棚の上側部分を一部透過させつつ模式的に示す説明図であり、（ａ）、（ｂ）は、それぞれ錠剤押出片部が異なる位置で待機している様子を示す。
【図１３】推奨カセット画面を示す図である。
【図１４】データ調整用画面を示す図である。
【発明を実施するための形態】
【００１９】
以下、本発明の実施形態について説明する。なお、以下の実施形態は、本発明を具体化した例であり、本発明がこれらの例に限定されるものではない。また、前後、上下、左右の方向は、特に断りのない限り、図１の姿勢を基準に説明する。
【００２０】
本実施形態の薬棚付包装装置１（薬剤分包ユニット）は、図１で示されるように、薬剤包装装置２（分包装置、他の機器）と、錠剤カセット棚３５０（薬棚装置）を備えている。そして、これら薬剤包装装置２と錠剤カセット棚３５０を一体に取り付けることで形成されている。
【００２１】
薬剤包装装置２は、分包部５と、図示しないモニタ（表示装置であり、以下、操作表示部とも称す）を備えたものとなっている。
この薬剤包装装置２は、処方された毎服用分の錠剤を所謂ブリスターパック形式のトレー（たとえば、７行４列により升目状に区画された収納凹部を有するトレー）に分包するものである。すなわち、薬剤包装装置２は、トレーに形成された升目状に配される収納凹部のそれぞれに対して一服用分ずつの錠剤を仕分けて供給し、トレーの開放面に蓋シート（蓋部）を張り付けることで、錠剤を包装する装置である。
【００２２】
薬剤包装装置２は、錠剤カセット棚３５０から供給される錠剤を自動的に包装する自動分包動作が可能である。さらに、錠剤カセット棚３５０に保管された錠剤容器３６０（詳しくは後述する）に収納されていない錠剤を補助的に手動で供給し（所謂手撒きによる分包）、その後にトレーに包装する手動分包動作が可能である。
なお、上記した蓋シートを張り付ける動作は、作業者が手動で実施してもよい。
【００２３】
分包部５は、内部への押し込みと収納された状態からの引き出しが可能な引出部５ａを有している。そして、この分包部５から錠剤を封入したトレーの取り出しが可能となっている。
【００２４】
操作表示部は、所謂タッチパネルであり、液晶パネル等の表示装置と、タッチパッド等の位置入力装置を組み合わせて形成されたものである。
【００２５】
ここで、薬棚付包装装置１は、薬剤包装装置２と錠剤カセット棚３５０との双方又は一方に基板等の制御装置（図示しない）が内蔵されている。
そして、外部のデバイス（携帯電話、ＰＣ（パーソナルコンピュータ）、タブレット型ＰＣ、他の調剤用機器）と内蔵される制御装置とを互いに通信網を介してデータ（信号）を送受信可能な状態とすることで、薬剤提供業務支援システムを構築可能となっている。
なお、上記した制御装置と、上記デバイスの携帯電話、ＰＣ、タブレット型ＰＣ等は、ＣＰＵ等の演算処理装置で構成される演算手段、メモリやハードディスク等の記憶媒体で構成される情報記憶手段を備えた構造となっている。さらに、データ（信号）を外部と送受信するためのインターフェース回路等によって構成される信号送受信手段を備えた構造となっている。
【００２６】
このことから、例えば、外部のＰＣで処方に関するデータを入力した際、薬棚付包装装置１で使用するための処方に関するデータ（以下、単に処方データと称する）を作成し、この処方データに基づいて薬棚付包装装置１の各種動作（詳しくは、後述する）を実行させることが可能となっている。
【００２７】
この処方データは、薬剤師等の薬棚付包装装置１の使用者が処方に関するデータを薬棚付包装装置１に直接入力して作成されてもよい。
【００２８】
また、この処方データには、薬剤を提供される患者に関する情報、処方された薬剤を特定する情報、薬剤を提供した日付に関する情報、服用日数に関する情報、服用時期に関する情報が含まれていてもよい。またこれらの情報を関連付けて形成される情報であってもよい。
さらに、上記した患者に関する情報には、患者ＩＤ、漢字や仮名文字で表される患者名、生年月日、住所、電話番号等のデータが含まれていてもよい。
また、上記した処方された薬剤を特定する情報には、薬剤ＩＤ、薬剤名、収納される錠剤容器３６０を特定する情報（カセットＮоや容器ＩＤ等）、投与開始日（調剤日）、投与日数、投与量（使用量）、提供された包数等のデータが含まれていてもよい。また、薬剤の提供元を特定するためのデータ（機関名、施設名、部門名等であり、例えば、医療機関名、診療科名等）が含まれていてもよい。
さらに、その処方に基づいて、すでに薬棚付包装装置１で分包動作を実施したか否かを特定する情報が含まれていてもよい。
そして、上記した服用時期に関する情報は、提供された薬剤を朝、昼、夜のいずれに服用するかを特定する情報である。
【００２９】
なお、薬棚付包装装置１や外部のデバイスの記憶手段には、容器取付部３６１に保持可能なそれぞれの錠剤容器３６０の在庫量（錠剤の収容量）に関する情報を記憶してもよい。すなわち、分包動作が実施される毎に処方データに基づいて在庫量を算出し、記憶させてもよい。
【００３０】
錠剤カセット棚３５０は、図２で示されるように、複数の錠剤容器３６０を保持する容器取付部３６１と、容器取付部３６１の下方側に位置する錠剤供給装置３６２（錠剤搬送装置）を備えた構造となっている。
本実施形態の錠剤カセット棚３５０では、異なる種類（２種）の錠剤容器３６０を保持している。
錠剤容器３６０は、錠剤を収容する収容部と、図示しないロータを備えており、収容された錠剤を１つずつ錠剤落下経路６６０（詳しくは後述する、図１２参照）に排出可能となっている。
薬棚付包装装置１では、錠剤供給装置３６２の手前側の一部が、薬剤包装装置２の背面側に形成される連結口部（図示しない）に挿通された状態となる。さらに、錠剤供給装置３６２の錠剤押出経路４８４（詳しくは後述する）の前端側が、薬剤包装装置２の内部に配された状態となる。すなわち、錠剤押出経路４８４から排出された錠剤が薬剤包装装置２に供給されることとなる。
【００３１】
そして、錠剤カセット棚３５０から薬剤包装装置２に錠剤を供給する際、錠剤容器３６０から落下した錠剤が、下方側に位置する錠剤供給装置３６２に導入される。そして、錠剤供給装置３６２の内部で錠剤押出経路４８４まで運ばれた後、錠剤押出経路４８４から押し出されることとなる。
【００３２】
詳細に説明すると、図３で示されるように、錠剤供給装置３６２は、大別して、上側に位置する錠剤受止部３６５（導入部）と、その下方側に位置する左右２つの横搬送部３６６（一次搬送部）及び落下経路形成部３６７（経路形成部）を備えた構成となっている。そして、落下経路形成部３６７の下方側には、錠剤押出部３６８（二次搬送部）がある。
ここで、薬剤包装装置２に錠剤を供給する際、錠剤容器３６０の内部に収容されていた錠剤が錠剤落下経路６６０に排出され、錠剤落下経路６６０から錠剤受止部３６５に落下する。そして、錠剤を錠剤受止部３６５の内部で一時的に留まらせた後、錠剤受止部３６５から錠剤が下方に落下する。すなわち、錠剤受止部３６５は、ダンパ状の部分（後述する回動板部３８４）を有しており、この部分が回動することで、上方から落下してきた錠剤を受け止め貯留する状態と、下方へ錠剤を落下させる状態の切り替えが可能となっている。
このとき、錠剤は、錠剤受止部３６５の内部での収納位置（錠剤落下経路６６０から落下する際の落下位置）に応じて、横搬送部３６６又は落下経路形成部３６７に導入される。このとき、横搬送部３６６に導入された錠剤は水平方向に搬送され（押し動かされ）、落下経路形成部３６７に到る。そして、落下経路形成部３６７を通過した錠剤が錠剤押出部３６８に導入され、錠剤押出部３６８で奥側から手前側（錠剤カセット棚３５０側から薬剤包装装置２側）へ押し出し搬送される。
すなわち、錠剤供給装置３６２は、錠剤の移動経路（搬送経路）を複数有しており、内部で錠剤を定位置まで移動させる際、適切な経路で移動させることができる。
以下、錠剤供給装置３６２について詳細に説明する。
【００３３】
錠剤供給装置３６２は、横に延びた形状の錠剤受止部３６５（導入部）と、同じく横に延びた形状の横搬送部３６６（一次搬送部）と、縦に延びた形状の錠剤押出部３６８（二次搬送部）が縦に積み重ねられた３段積み構造となっている（図４参照）。
最上段の錠剤受止部３６５は、上方から落下してきた錠剤を受け止めるための部分であり、錠剤供給装置３６２の全体において、錠剤の導入部として機能する部分である。
この錠剤受止部３６５は、左右方向（錠剤カセット棚３５０の幅方向）における一端側に位置する片側錠剤受止部３６５ａと、他端側に位置する他方側錠剤受止部３６５ｂを備えている。
【００３４】
片側錠剤受止部３６５ａは、図４で示されるように、左右方向に延びる略直方体状の部分であり、３つの錠剤導入空間３７０（収納空間）が形成されたものとなっている。
詳細には、３つの錠剤導入空間３７０ａ，３７０ｂ，３７０ｃが間隔を空けて並列するように設けられており、これらの間に連結部材配置部３７１と、仕切部材３７２とが位置している。つまり、３つの錠剤導入空間３７０は、左右方向に延びる空間を連結部材配置部３７１と仕切部材３７２で分断し、複数の空間としたものである。
連結部材配置部３７１は、各種部材を配置する空間となっている。仕切部材３７２は、上側に位置する平板状の天板部と、左右方向の両端にそれぞれ位置する２つの立板状部を一体に形成した部材である。
３つの錠剤導入空間３７０は、いずれも上下のそれぞれで外部と連通する空間であり、上側に錠剤の導入口となる開口面を有している。そして、図５に示す回動板部３８４（可動受止部材）が回動することで、下方側が閉塞された状態と、下方側が外部に開放された状態とを切り替え可能となっている。
【００３５】
片側錠剤受止部３６５ａ（図４参照）は、その内部に配される部材として、図５で示されるように、モータ３７８と、動力伝達部３７９と、回転揺動変換部３８０を備えた構造となっている。さらに、図５で示されるように、第１シャフト３８１と、軸継手部材３８２と、第２シャフト３８３と、２つの回動板部３８４と、回転規制機構３８５を備えた構造となっている。
片側錠剤受止部３６５ａでは、モータ３７８が稼働し、モータ３７８の軸が軸回り（周方向）の一方側に回転し続けると、回動板部３８４が揺動する構造となっている。つまり、モータ３７８を逆回転させることなく、回動板部３８４を揺動させることが可能な構造となっている。
このことから、片側錠剤受止部３６５ａでは、図６で示されるように、回動板部３８４によって錠剤導入空間３７０の下方側を閉塞した錠剤受止姿勢（図６（ａ）参照）と、錠剤排出姿勢（図６（ｂ）参照）との間での切り替えが可能となっている。なお、錠剤排出姿勢では、錠剤導入空間３７０の下方側がさらに下方側の空間と連通した状態となる。
つまり、錠剤導入空間３７０の下方側に位置し、外部と連なる部分が、外部へ錠剤を排出するための排出口部となる。
【００３６】
片側錠剤受止部３６５ａは、錠剤受止姿勢で待機し、錠剤容器３６０（図２等参照）から落下してくる錠剤を受け止める。そして、錠剤導入空間３７０の内部に錠剤が配置された状態で錠剤排出姿勢へ移行することにより、錠剤をさらに下方側（横搬送部３６６や落下経路形成部３６７、図４参照）へ供給する。言い換えると、錠剤導入空間３７０の内部に錠剤を一時的に貯留した後、下方側へ供給する。
ここで、回動板部３８４は、図６（ａ）で示されるように、錠剤受止姿勢時において、水平面に対して傾斜し、前方側へ向かって下り勾配となる傾斜面となる部分を有している。そして、この部分が錠剤の排出口となる部分の上方に位置した状態となっており、片側錠剤受止部３６５ａに供給された錠剤を受け止める部分となっている。すなわち、この回動板部３８４の上に落下した錠剤は、そのまま傾斜面上を滑り落ちていき、下方側に集められた状態となる。
３つの錠剤導入空間３７０のうち、所定の２つの錠剤導入空間３７０ａ，３７０ｂに導入された錠剤は、中間段にある横搬送部３６６の一方へ供給され、横方向に押し移動されて落下経路形成部３６７に供給されて最下段の錠剤押出部３６８（二次搬送部）に導入される。
他の一の錠剤導入空間３７０ｃに導入された錠剤は、中間段の横搬送部３６６を経ずに直接、落下経路形成部３６７に落下し最下段の錠剤押出部３６８（二次搬送部）に導入される。
他方側錠剤受止部３６５ｂは、片側錠剤受止部３６５ａと基本的な構造が同一であるため、詳細な説明を省略する。なお、この他方側錠剤受止部３６５ｂに導入された錠剤は、もう一方の横搬送部３６６へ供給されることとなる。
【００３７】
続いて、中間段の横搬送部３６６について説明する。中間段には直線状に２基の横搬送部３６６が配されている。
二つの横搬送部３６６は同一構造であるから、一方についてのみ説明する。横搬送部３６６は、図７で示されるように、薬剤受止溝部４１０（受止部）と、車輪走行部４１１と、ガイド配置部４１２と、下側箱部４１３とを備えた構造となっている。
より具体的には、図面手前から順に車輪走行部４１１、薬剤受止溝部４１０、ガイド配置部４１２が並列しており、これらが一体的に形成されている。そして、これらの下方側となる位置に下側箱部４１３が配されている。
【００３８】
薬剤受止溝部４１０は、上記した錠剤受止部３６５から落下した錠剤が導入される部分であり、下方側に窪んだ溝状の部分であって、断面形状が略四角形状で左右方向に延びる空間を形成している。
そして、薬剤受止溝部４１０の長手方向の一端側に位置する端部（図７の手前側の端部）には、内外を連通する開口部分である錠剤排出口部４１８が形成されている。この錠剤排出口部４１８が形成される端部は、錠剤供給装置３６２の左右方向における中心側に位置する端部（図４等参照）である。中間段には直線状に２基の横搬送部３６６が配されており、錠剤排出口部４１８は２基の横搬送部３６６の対向部にある。
【００３９】
薬剤受止溝部４１０内には図７で示されるように、錠剤押出片部４３８が配されている。錠剤押出片部４３８は、薬剤受止溝部４１０の内部に配され、薬剤受止溝部４１０の長手方向に沿って移動する。
錠剤押出片部４３８を移動させる機構は、図８のようであり、レール部材４５３と摺動子４５４によって構成される直線ガイド部材４５２と、モータ４４５によって走行するベルト機構４４６及び車輪部４５１を備えている。
錠剤押出片部４３８は、直線ガイド部材４５２の摺動子４５４に接続されており、直線方向にのみ自由度を有する。また錠剤押出片部４３８は、ベルト機構４４６のベルトに他部材を介して間接的に接続されており、ベルトの走行に応じて薬剤受止溝部４１０内を直線移動する。車輪部４５１は、錠剤押出片部４３８の荷重を支持するものである。
【００４０】
このことから、錠剤押出片部４３８を薬剤受止溝部４１０の内部で移動させることで、錠剤の押し出しが可能となっている。
すなわち、錠剤押出片部４３８を薬剤受止溝部４１０の長手方向の一端側であり、錠剤排出口部４１８から離れた位置の端部側で待機させ、上記した錠剤受止部３６５から薬剤受止溝部４１０の内側空間に錠剤を供給する（落下させる）。
その後、錠剤押出片部４３８を錠剤排出口部４１８の近傍まで薬剤受止溝部４１０の長手方向に沿って移動させ、錠剤が錠剤排出口部４１８から外部に押し出される。
【００４１】
落下経路形成部３６７は、図４、図９で示されるように、一の錠剤導入空間３７０ｃの下方側に位置する部分である。この落下経路形成部３６７は、縦孔状であり、内部に第１落下規制板４６０（規制部材）と、第２落下規制板４６１（規制部材、図９参照）とが配されている。
【００４２】
第１落下規制板４６０は、図９で示されるように、対となる２つの規制板片４６０ａ，４６０ｂによって形成されている。
２つの規制板片４６０ａ，４６０ｂは、それぞれの上面が、左右方向の中心側に向かうにつれて下り勾配となる傾斜面となっている。そして、その傾斜面の下端部同士の間の下方側に、錠剤押出部３６８の錠剤導入口４８０ａが位置している。つまり、２つの規制板片４６０ａ，４６０ｂの一部同士が最も近接する部分では、２つの規制板片４６０ａ，４６０ｂの間に上方側と下方側を連通する空隙が形成され、この空隙の下方側に錠剤導入口４８０ａが位置している。
第２落下規制板４６１の形状も第１落下規制板４６０と略同様の形状である。
【００４３】
錠剤導入口４８０ａはその上側に隣接する空間が、落下経路形成部３６７の２つの立板状部分と、２つの規制板片４６１ａ，規制板片４６１ｂによって囲まれた状態となっている。
最下段の錠剤押出部３６８は、図１０で示されるように、導入口形成部４７０と、押出経路形成部４７３を備えている。そして、図１０で示されるように、押出経路形成部４７３の内部に供給された錠剤を搬送するための錠剤搬送装置４７４を備えたものとなっている。
【００４４】
導入口形成部４７０は、図１０で示されるように、押出経路形成部４７３の上側に取り付けられる部材であり、内部を上下方向に貫通する第１錠剤供給用孔４８０が形成されている。この第１錠剤供給用孔４８０の上側に位置する開口部分は、錠剤押出部３６８に対して錠剤が供給される際の導入口（錠剤導入口４８０ａ）となる部分である。
押出経路形成部４７３は、内部に前後方向に延びる空間である錠剤押出経路４８４が形成されている。
この錠剤押出経路４８４は、前端側に内外を連通する開口部分である錠剤搬出口部４８４ａを有している。
押出経路形成部４７３には錠剤搬送装置４７４が内蔵されている。
錠剤搬送装置４７４は、図１０で示されるように、上側受台部４９０と、その下方側に位置する搬送体部４９１を備えた構造となっている。搬送体部４９１は図示しない駆動装置によって、錠剤押出経路４８４内を直線移動する。
上側受台部４９０は、図示しない係合部によって搬送体部４９１と係合し、一定の位置までは搬送体部４９１に追従して直線移動するが、一定の位置から先は両者の係合がとけ、上側受台部４９０はその位置に止まり、搬送体部４９１だけが走行する。
そして、上側受台部４９０は、図示しない動力源に常時前側へ押圧された構造となっており、搬送体部４９１は、図示しない駆動装置（搬送体動力部）と連結された状態となっている。
【００４５】
上側受台部４９０には、前方側に上下方向に貫通する貫通孔である錠剤落下孔５１０が形成されている。
搬送体部４９１は、錠剤を搬送するための部分であり、図１０で示されるように、その一部に、天面から底面までを貫通する収納用孔５２０が形成されている。
【００４６】
続いて、本実施形態の錠剤押出部３６８による、錠剤搬送動作について説明する。
錠剤押出部３６８は、１服用分の錠剤を搬送する第１搬送動作と、１服用分ずつ供給される複数包分の錠剤をその都度搬送していく第２搬送動作が実行可能となっている。
第１搬送動作では、錠剤搬送装置４７４は、図１１（ａ）で示されるように、上側受台部４９０と搬送体部４９１とが共に後方側に位置する第１待機姿勢で待機する。なお、この第１待機姿勢では、第１錠剤供給用孔４８０、錠剤落下孔５１０、収納用孔５２０が一連の連通孔を形成する。
【００４７】
錠剤搬送装置４７４が第１待機姿勢をとる状態で、錠剤導入口４８０ａに錠剤が導入されると、連通孔の内部を錠剤が落下していき、収納用孔５２０の内部であって錠剤押出経路４８４の底板部分の上側となる位置に錠剤が配される。
そして、第１待機姿勢において、錠剤が収納位置に収納された状態から、図示しないモータを稼働させることにより、搬送体部４９１を前方へ移動させる。このとき、上側受台部４９０は、搬送体部４９１の移動に伴って上側受台部４９０もまた前方へ移動する。
【００４８】
上側受台部４９０、搬送体部４９１が接触した状態を維持しつつ前方へ移動していくと、上側受台部４９０が、移動可能範囲内において最も前側に位置した状態となる（図１１（ｂ）等参照）。そして、この後、搬送体部４９１のみがさらに前方側へ移動し、搬送体部４９１が上側受台部４９０から前方側へ離れた状態となる。
そして、搬送体部４９１が前方側へ移動していくと、搬送体部４９１の前側部分が錠剤搬出口部４８４ａよりもさらに前方へ位置した状態となる（図１１（ｃ）参照）。このとき、収納用孔５２０の下側開口の全域が、押出経路形成部４７３の底板部分よりも前方側に位置した状態となる。このことから、収納用孔５２０の内側に位置する錠剤が下方側へ落下し、錠剤押出部３６８から薬剤包装装置２に錠剤が供給される。
【００４９】
続いて、第２搬送動作について説明するが、上述の第１搬送動作と同様の部分については、重複する詳細な説明を省略する。
第２搬送動作においても、錠剤搬送装置４７４が第１待機姿勢で待機し、最初に供給される１包目の錠剤が収納用孔５２０の内側に収納された後、搬送を開始する。そして、上記と同様の手順で搬送していき、図１１（ｂ）で示されるように、上側受台部４９０が最も前方まで移動した状態となる。
【００５０】
そして、上記と同様に、上側受台部４９０の前方への移動が停止し、搬送体部４９１のみが前方へ移動していくが、このとき、第２搬送動作では、続いて搬送する２包目の錠剤（図示を省略する）が錠剤導入口４８０ａに供給されることとなる。
具体的に説明すると、搬送体部４９１は、上記と同様に前方側へ移動していき、先行して供給された１包目の錠剤を前方側へ搬送する。すなわち、搬送体部４９１の前側部分が錠剤搬出口部４８４ａよりもさらに前方へ位置した状態となる（図１１（ｃ）参照）まで移動し、薬剤包装装置２に１包目の錠剤を供給する。
この後、搬送体部４９１を後方側へと移動させていき、上側受台部４９０に前方側から接触させることで、再び搬送体部４９１と上側受台部４９０が接触した状態となる（図１１（ｂ）参照）。
【００５１】
搬送体部４９１が１包目の錠剤を運搬する一方、錠剤導入口４８０ａに供給された２包目の錠剤は、上側受台部４９０の一部である受板部５００の後方側部分の上に落下することとなる。すなわち、搬送体部４９１の単独搬送動作（搬送体部４９１のみを前方へ移動させ、再び上側受台部４９０と接触するまでの動作）の実施中に、２包目の錠剤が供給されることとなる。
そして、搬送体部４９１が上側受台部４９０と再び接触した後、さらに後方側へ移動することで、搬送体部４９１に後方側に押圧された上側受台部４９０もまた、後方側へ移動する。すなわち、搬送体部４９１と上側受台部４９０が接触した状態を維持しつつ後方側へと移動していく。
【００５２】
このことにより、受板部５００もまた後方側へ移動していくので、錠剤搬送装置４７４が第１待機姿勢をとるまでの間に、受板部５００の上に供給された２包目の錠剤が下方側へと落下する。
すなわち、第１錠剤供給用孔４８０の内部下端側であって受板部５００の上に供給された２包目の錠剤は、受板部５００が後方側へと移動することで、錠剤落下孔５１０の上側開口部分に導入される。そして、第１錠剤供給用孔４８０から下方側へと落下する。
そして、上記と同様の手順により、第１待機姿勢において収納用孔５２０の内側に収納された２包目の錠剤を搬送する。なお、３包目以降の錠剤が供給される場合、すなわち、後続の錠剤が供給される場合についても、同様の手順で順次搬送していく。
【００５３】
なお、上記したように、片側錠剤受止部３６５ａに供給された錠剤は、横搬送部３６６、落下経路形成部３６７を経て錠剤押出部３６８に供給される場合と、横搬送部３６６を通過せずに落下経路形成部３６７を経て錠剤押出部３６８に供給される場合がある。すなわち、錠剤の導入位置に応じて異なる搬送経路を経て錠剤押出部３６８へ供給されることとなる。
このことから、錠剤押出部３６８で搬送動作を実施する際、処方データの内容によっては、横搬送部３６６を通過しない錠剤が錠剤押出部３６８に供給された後、横搬送部３６６を通過する錠剤が錠剤押出部３６８に供給されるまで待機し、搬送動作を実施する。
これに対し、全ての錠剤が横搬送部３６６を通過しない場合、錠剤押出部３６８に錠剤が供給された後、このような待機動作を実施せず、搬送動作を実施する。
【００５４】
ところで、錠剤押出部３６８では、上記したように、収納用孔５２０の内部に錠剤が配された状態で、錠剤搬送装置４７４を直線移動させ、錠剤を搬送する（図１０参照）。
ここで、錠剤搬送装置４７４を前方（図１０の右側）へ移動させ、錠剤を薬剤包装装置２側へ搬送する際、錠剤搬送装置４７４を高速で移動させた後、低速で移動させることが好ましい。すなわち、錠剤搬送装置４７４を規定位置で確実に停止させるため、移動開始から所定時間経過した錠剤搬送装置４７４の速度（所定距離だけ移動した錠剤搬送装置４７４の速度）を移動開始時よりも低速とすることが好ましい。
【００５５】
さらには、錠剤搬送装置４７４を駆動させる駆動装置（モータ等）に対し、一時的に停止信号を発信することが好ましい。
具体的に説明すると、錠剤搬送装置４７４を前方側へ移動させる際、移動中に駆動装置を一旦停止させる動作を実施する。このとき、錠剤搬送装置４７４は慣性によりそのまま移動するので、錠剤搬送装置４７４が完全に停止するまでに駆動装置をより低出力（錠剤搬送装置４７４がより低速で移動するように）で再度駆動させる動作を実施する。このことにより、錠剤搬送装置４７４の移動中に駆動装置の出力を単に低下させる動作を実施させる場合と比べ、錠剤搬送装置４７４をより早く減速状態へ至らせることが可能となる。
【００５６】
ここで、本実施形態の薬棚付包装装置１は、特徴的な動作として、錠剤容器３６０の内部から供給された錠剤が横搬送部３６６で搬送される場合に、横搬送部３６６の錠剤押出片部４３８の待機位置を適宜変更する動作が可能となっている。
まず、この動作の説明に先立って、錠剤押出片部４３８を基準待機位置（詳しくは後述する）で待機させる動作について説明する。
【００５７】
ここで、容器取付部３６１の上側部分では、図２で示されるように、錠剤容器３６０が行列状に並べられて収納されている。詳細には、６つの錠剤容器３６０が上下方向に並んで形成される錠剤容器３６０の列が１１列形成されており、この錠剤容器３６０の列が左右方向に並んで配置されている。
【００５８】
そして、容器取付部３６１の裏面側には、図１２で示されるように、それぞれの錠剤容器３６０の列に対応する１１の錠剤落下経路６６０（錠剤供給経路）が形成されている。すなわち、錠剤容器３６０の列の列数と同数の錠剤落下経路６６０が形成されている。
それぞれの錠剤落下経路６６０は、周壁に囲まれて上下方向に延びる空間を形成しており、それぞれ異なる錠剤容器３６０の列に対応している。そして、対応する錠剤容器３６０の列に属する１以上の錠剤容器３６０から供給される錠剤が落下するための経路を形成している。
【００５９】
詳細に説明すると、例えば、最も右側に位置する錠剤容器３６０の列は（図２参照）、最も右側（図１２では最も左側）に位置する錠剤落下経路６６０ｋに対応している。そして、この最も右側の列に属する錠剤容器３６０から供給される錠剤は、いずれの錠剤容器３６０から供給された場合でも、最も右側に位置する錠剤落下経路６６０ｋを経て錠剤供給装置３６２に供給される。同様に、右から２番目に位置する錠剤容器３６０の列は、右から２番に位置する錠剤落下経路６６０ｊに対応するといった具合に、それぞれ順次１対１に対応している。
【００６０】
なお、左右方向で両端にそれぞれ位置する錠剤落下経路６６０ｂ，６６０ｊには、内部を落下する錠剤の移動方向を規制する落下規制部６６２が設けられている。
この落下規制部６６２は、傾斜した姿勢で取り付けられる板状の部材であり、その上面は、左右方向における端部側から中央側に向かうにつれて下り勾配となる傾斜面となっている。そして、落下規制部６６２は、上面の上端側の部分が左右方向における端部よりの位置に配されている。つまり、落下規制部６６２は、錠剤落下経路６６０ｂ，６６０ｊの内部空間又は下方に位置する空間（図１２では下方に位置する空間）であり、錠剤が落下する空間を斜め方向に横切るように延びている。
このことから、錠剤落下経路６６０ｂ，６６０ｊを落下した錠剤が落下規制部６６２の上に落下すると、その移動方向が変更され、より左右方向の中心よりの位置に落下することとなる。
【００６１】
そして、中央に位置する錠剤落下経路６６０ｆを経て錠剤供給装置３６２に導入された錠剤は、落下経路形成部３６７を経て錠剤押出部３６８（図１２では図示しない）に供給される。
対して、中央の錠剤落下経路６６０ｆよりも左右方向における一方側に位置する複数の錠剤落下経路６６０（錠剤落下経路６６０ａ乃至錠剤落下経路６６０ｅ）のいずれかを経て錠剤供給装置３６２に導入された錠剤は、一方の横搬送部３６６に導入される。
さらに、中央の錠剤落下経路６６０ｆよりも左右方向における他方側に位置する複数の錠剤落下経路６６０（錠剤落下経路６６０ｇ乃至錠剤落下経路６６０ｋ）のいずれかを経て錠剤供給装置３６２に導入された錠剤は、他方の横搬送部３６６に導入される。
【００６２】
ここで、横搬送部３６６では、上記したように、薬剤受止溝部４１０のいずれかの位置に錠剤が落下した後、錠剤押出片部４３８を左右方向の端部側から中央側へ移動させ、左右方向で異なる位置に落下するそれぞれの錠剤を押し動かす（図７参照）。すなわち、それぞれの錠剤を落下経路形成部３６７側へ押圧することで、錠剤を搬送する。
【００６３】
この動作を実施する際、錠剤押出片部４３８は、最も左右方向の端部側に位置する錠剤落下経路６６０（錠剤落下経路６６０ａ又は錠剤落下経路６６０ｋ）から供給される錠剤の落下位置よりも、さらに左右方向における端部側に離れた位置で待機する。
具体的に説明すると、左右方向の一方端側（図１２における右側）に位置する横搬送部３６６では、最も左右方向の一方端側に位置する錠剤落下経路６６０ａから供給される錠剤の落下位置よりも、さらに左右方向の一方端側の位置を基準待機位置としている。
そして、錠剤押出片部４３８が基準待機位置で待機した状態で錠剤を落下させた後、錠剤押出片部４３８を左右方向の中央側に移動させ、錠剤を押圧する動作が可能となっている。
なお、左右方向の他方端側（図１２における左側）に位置する横搬送部３６６については、基本的な構造が一方端側に位置する横搬送部３６６と同様であるため、重複する詳細な説明を省略する。
【００６４】
さらに、本実施形態の薬棚付包装装置１（錠剤カセット棚３５０）では、処方データに基づいて稼働させることで、錠剤押出片部４３８を基準待機位置とは異なる位置で待機させ、その後に錠剤を押圧する動作が可能となっている。
【００６５】
具体的に説明すると、本実施形態の薬棚付包装装置１では、薬剤包装装置２に錠剤を供給する動作が開始されると、供給する錠剤が収納された錠剤容器３６０を特定する容器特定動作を実施する。
すなわち、処方データと、それぞれの錠剤容器３６０に取り付けられたＲＦＩＤタグに記憶されたデータに基づいて、行列状に並列配置される複数の錠剤容器３６０から供給する錠剤が収納された錠剤容器３６０を特定する。さらに、この供給する錠剤が収納される錠剤容器３６０が、容器取付部３６１のどの位置に配置されているかを特定する。
【００６６】
なお、本実施形態では、それぞれの錠剤容器３６０に取り付けられたＲＦＩＤタグに、収容する薬品を特定するための情報（薬品名、種別等）が記憶されている。そして、薬棚付包装装置１の制御装置がこのＲＦＩＤタグの情報を参照することで、容器取付部３６１に収納されたそれぞれの錠剤容器３６０にいずれの錠剤が収納されているかを識別可能となっている。
ここで、このＲＦＩＤに記憶された情報は、容器特定動作の開始前に制御装置が参照し、制御装置の記憶手段に記憶してもよい。この場合、処方データと制御装置に記憶されたデータに基づいて容器特定動作を実施してもよい。また、処方データを作成する際、ＲＦＩＤに記憶された情報を参照し、処方された錠剤（錠剤名等）とこの錠剤が収納される錠剤容器３６０を特定する情報とを関連付け、これらの双方を含む処方データを作成してもよい。この場合、処方データのみを参照して容器特定動作を実施してもよい。
【００６７】
さらに容器特定動作の結果に基づいて、錠剤供給装置３６２に対して錠剤を供給する際に使用する錠剤落下経路６６０が特定され、さらに横搬送部３６６を使用するか否かが特定される。すなわち、横搬送部３６６を使用するか否か、使用するのであれば、どの横搬送部３６６を使用するかが特定される。つまり、２つの横搬送部３６６の双方を使用するのか、いずれか一方であればどちらの横搬送部３６６を使用するかが特定される。
【００６８】
さらに、横搬送部３６６が使用される場合、使用対象となる横搬送部３６６に錠剤を供給する錠剤落下経路６６０のうち、最も左右方向における端部側に位置する錠剤落下経路６６０もまた特定される。言い換えると、錠剤押出片部４３８の移動方向において最も上流側に位置する錠剤落下経路６６０が特定される。
具体的に説明すると、例えば、図１２の右側に位置する横搬送部３６６では、右端側が錠剤押出片部４３８の押し出し動作における移動方向で上流側であり、左端側が下流側となる。すなわち、最も上流側に位置する錠剤落下経路６６０ａが、左右方向で最も端部側に位置する錠剤落下経路６６０となる。
反対に、図１２の左側に位置するもう一方の横搬送部３６６では、左端側が錠剤押出片部４３８の移動方向で上流側であり、右端側が下流側となる。すなわち、最も上流側に位置する錠剤落下経路６６０ｋが、左右方向で最も端部側に位置する錠剤落下経路６６０となる。つまり、落下経路形成部３６７を挟んだ両側で、錠剤押出片部４３８の押し出し動作における移動方向が逆向きとなり、錠剤が押し出される落下経路形成部３６７側が移動方向の下流側となる。
【００６９】
そして、上記の特定結果に基づいて錠剤押出片部４３８の待機位置を決定する待機位置決定動作が実施される。
例えば、図１２（ａ）のように、左右方向で最も端部側に位置する錠剤落下経路６６０ａから横搬送部３６６に錠剤を供給するのであれば、基準待機位置が錠剤押出片部４３８の待機位置となる。
【００７０】
これに対して、図１２（ｂ）のように、左右方向で最も端部側に位置する錠剤落下経路６６０ａから錠剤を供給せず、より左右方向の中央側に離れた錠剤落下経路６６０ｃ，６６０ｅから錠剤を供給する場合、錠剤押出片部４３８の待機位置を変更する。
すなわち、横搬送部３６６に供給する錠剤を通過させる錠剤落下経路６６０のうち、最も左右方向における端部側（錠剤押出片部４３８の移動方向で上流側）に位置する錠剤落下経路６６０ｃが特定される。そして、特定された錠剤落下経路６６０ｃよりも左右方向における端部側であり、基準待機位置よりも左右方向における中央側となる位置が錠剤押出片部４３８の待機位置（変更待機位置）となる。
すなわち、左右方向で最も端部側に位置する錠剤落下経路６６０ａから錠剤が供給されるか否かを判別し、判別の結果に基づいて錠剤押出片部４３８の待機位置を決定する動作を実施する。そして、錠剤押出片部４３８を決定した待機位置で待機させた後、錠剤を押し動かす動作を実施する。
【００７１】
ここで、上記の待機位置を決定する動作では、変更待機位置を複数設定してもよい。
例えば、変更待機位置は、錠剤落下経路６６０ｂ乃至錠剤落下経路６６０ｅのそれぞれよりもやや左右方向における端部側となる位置としてもよい。この場合、横搬送部３６６に供給する錠剤を通過させる錠剤落下経路６６０のうちで最も左右方向における端部側に位置するものを最上流側流路としたとき、最上流側流路よりも左右方向でやや端部側となる位置を変更待機位置とする。すなわち、左右方向で最も中央側に位置する錠剤落下経路６６０ｅが最上流側流路であるときは、この錠剤落下経路６６０ｅよりも左右方向でやや端部側となる変更待機位置とする。同様に、左右方向で中央側から２番目に位置する錠剤落下経路６６０ｄが最上流側流路であるとき、この錠剤落下経路６６０ｄよりも左右方向でやや端部側が変更待機位置となり、３番目以降についても同様となる。
【００７２】
これに対し、変更待機位置は１つのみ設定してもよい。
例えば、変更待機位置は、特定の錠剤落下経路６６０ｃよりも左右方向における端部側となる位置としてもよい。この場合、上記の最上流側流路が特定の錠剤落下経路６６０ｃである場合と、特定の錠剤落下経路６６０ｃよりも左右方向で中央側に位置する錠剤落下経路６６０（錠剤落下経路６６０ｄ，６６０ｅ）である場合は、錠剤押出片部４３８が変更待機位置で待機する。対して、最上流側流路が錠剤落下経路６６０ｃよりも左右方向で端部側に位置する錠剤落下経路６６０（錠剤落下経路６６０ａ，６６０ｂ）である場合は、錠剤押出片部４３８が基準待機位置で待機する。
【００７３】
このように、変更待機位置は、一つのみ設定してもよく複数設定してもよい。すなわち、基準待機位置と、基準待機位置から最も左右方向における端部側に位置する変更待機位置までの間に錠剤が落下する場合、錠剤押出片部４３８を基準待機位置で待機させればよい。また、特定の変更待機位置よりも下流側に錠剤が落下する場合、錠剤の落下位置の上流側に位置する変更待機位置のうち、最も下流側に位置する変更待機位置で錠剤押出片部４３８を待機させればよい。
また、上記の例では、錠剤落下経路６６０ｂ，６６０ｊに落下規制部６６２を設けた例について説明したが、これに限らず、他の錠剤落下経路６６０に落下規制部６６２を適宜設けてもよい。すなわち、いずれの錠剤落下経路６６０に落下規制部６６２を設けてもよく、いずれの錠剤落下経路６６０を落下規制部６６２を設けないものとしてもよい。そして、変更待機位置は、落下規制部６６２の最下端付近よりも上流側となる位置であってもよい。なお、この落下規制部６６２を設けた位置を基準として、錠剤受止部３６５を区画してもよい。つまり、上記した連結部材配置部３７１や仕切部材３７２が形成される位置は、落下規制部６６２の鉛直方向上側となる位置から左右方向でずれた位置としてもよい。
【００７４】
さらに、上記した待機位置決定動作を伴う錠剤の搬送動作は、処方データの服用時期に関する情報に基づいて実施してもよい。
例えば、所定の患者を対象に処方された薬剤のうち、朝に服用する薬剤と、昼に服用する薬剤と、夜に服用する薬剤を薬棚付包装装置１で順次分包していく動作を実施するとき、それぞれの分包動作で待機位置決定動作を伴う錠剤の搬送動作を実施してもよい。すなわち、錠剤を分包する分包動作を実施する毎に待機位置決定動作を伴う錠剤の搬送動作を実施してもよい。
【００７５】
反対に、一の患者に処方された薬剤を分包し、他の患者に処方された薬剤を分包するといった具合に、複数の患者にそれぞれ処方された処方毎に分包動作を実施する場合、一つの処方を対象とした動作で一度のみの待機位置決定動作を実施してもよい。
すなわち、一つの処方を対象とした動作で朝、昼、夜に服用する薬剤をそれぞれ別途分包する場合のように、複数の分包動作を実施する場合、複数の分包動作で分包する全ての錠剤を対象として上記の最上流側流路を特定する動作を実施する。そして、特定した最上流側流路に基づいて錠剤押出片部４３８の待機位置を決定する。その上で、分包動作を順次実施していくとき、それぞれの動作で押し出し動作前の錠剤押出片部４３８の待機位置を決定した同一の位置にできる。つまり、複数の分包動作を対象として待機位置決定動作を実施し、予め実施した待機位置決定動作の結果に基づいて複数回の錠剤の搬送動作を実施してもよい。
【００７６】
以上のように、本実施形態では、容器特定動作の結果に基づいて基準待機位置と１以上の変更待機位置から選択される待機位置に錠剤押出片部４３８を待機させる動作が可能となっている。
【００７７】
ところで、薬棚付包装装置１は、上記したように、最大６６種の錠剤を錠剤容器３６０から薬剤包装装置２に供給可能なものとなっている。容器取付部３６１は、複数の個別設置部を有するものであり、それぞれの個別設置部が１つ１つの錠剤容器３６０を保持させる（保管する）ための部分となっている。すなわち、個別設置部の数は、保持可能な錠剤容器３６０の数と同数（６６個）となっている。
【００７８】
ここで、薬棚付包装装置１が運用される薬局等では、患者に提供する錠剤が日毎又は特定の期間毎に大きく異なることがある。このため、薬棚付包装装置１を効率よく運用するという観点から、容器取付部３６１に保持させる錠剤容器３６０を適宜変更することが好ましい。
そこで、本実施形態の薬棚付包装装置１では、図１３で示される推奨カセット画面６７０（推奨容器提示画面）を操作表示部に表示させることで、使用者による錠剤容器３６０の入れ替え作業を容易化することが可能となっている。
【００７９】
推奨カセット画面６７０は、図１３で示されるように、設置状況表示部６７５と、予定錠剤表示部６７６と、対象データ変更部６７７と、データ調整ボタン６７８と、リスト表示変更ボタン６７９と、終了ボタン６８０とが表示される画面である。すなわち、これらの各部分と各ボタンを同時に目視可能な状態で表示する画面となっている。
【００８０】
この推奨カセット画面６７０では、予め入力により設定される又は自動で設定される指定期間内（詳しくは後述する）に、分包動作の対象となる可能性の高い錠剤を予定錠剤表示部６７６にリスト表示する。詳細には、それぞれの錠剤につき、錠剤を特定する情報（錠剤名であり、薬品名称）と同錠剤に関する情報（詳しくは後述する）とを関連する１つの情報（一行分のデータ）としてリスト表示する。このとき、予定錠剤表示部６７６には、容器取付部３６１に保持可能な錠剤容器３６０の数と同数（本実施形態では６６）の錠剤がリスト表示される。さらに、リスト表示される錠剤のうち、容器取付部３６１に現在保持されている錠剤容器３６０に収容されていないものが強調表示されて表示される（例えば、図１３における薬品１０）。
なお、本実施形態における強調表示は、背景色を他とは異なる色で表示する表示である。
【００８１】
これと同時に、設置状況表示部６７５には、現在の容器取付部３６１の状況を模式的に示す図が表示される。この図は、容器取付部３６１の複数の個別設置部を視覚的に表示する図であり、それぞれの個別設置部の全体における位置関係を示す図である。すなわち、容器取付部３６１において行列状に配置される個別設置部を示す図であり、それぞれの個別設置部を示す長方形状の枠が行列状に配置される図となっている。また、それぞれの枠内には取り付けられた錠剤容器３６０を識別するための数字（一意に割り振られる数字）が記載されている。
【００８２】
そして、設置状況表示部６７５に表示される図では、それぞれの個別設置部が特定の条件を満たしたとき、この条件を満たした個別設置部に対応する部分を強調表示する。具体的には、個別設置部が交換可能状態、未取り付け状態、少量状態のいずれかである場合、それぞれ異なる色で強調表示を実施する。
【００８３】
それぞれの条件について説明すると、「交換可能状態」であるとは、対象とする個別設置部に対し、予定錠剤表示部６７６にリスト表示されていない錠剤が収納された錠剤容器３６０が取り付けられている状態である。
また、「未取り付け状態」であるとは、対象とする個別設置部に対し、錠剤容器３６０が取り付けられていない状態である。
さらに、「少量状態」であるとは、対象とする個別設置部に対し、予定錠剤表示部６７６にリスト表示された錠剤を収納した錠剤容器３６０が取り付けられているものの、将来的に錠剤が不足することが予測される状態である。
具体的には、取り付けられている錠剤容器３６０に収納された錠剤の在庫量が、上記した指定期間に実施されることが予測される分包動作での使用量を下回っている状態である。
【００８４】
以上のことから、使用者は、設置状況表示部６７５と予定錠剤表示部６７６とを見比べるだけで、どの錠剤容器３６０をいずれの個別設置部に取り付ければよいかや、どの錠剤を予め充填すべきかを簡単に把握することができる。
【００８５】
ここで、本実施形態の薬棚付包装装置１は、設置状況表示部６７５と予定錠剤表示部６７６で上記した表示動作を実施するため、指定期間内に分包動作の対象となる可能性の高い錠剤を特定する使用錠剤予測動作を実施する。
この使用錠剤予測動作につき、各種ボタンの説明を交えつつ、以下で詳細に説明する。
【００８６】
使用錠剤予測動作は、大別して、過去に分包実績のあるデータ（以下分包済データとも称する）と、推奨カセット画面６７０を表示する時点で分包動作が未実施であるデータ（以下未分包データとも称する）を対象として実施可能となっている。すなわち、処方データのうち、分包済データと未分包データのいずれかを対象として実施可能となっている。
そして、対象データ変更部６７７の各ボタンを操作することで、使用錠剤予測動作で対象とするデータの変更が可能となっている。
【００８７】
具体的には、対となる２つのボタンの一方であるＤоデータボタン６７７ａを押下することで、分包済データを対象として使用錠剤予測動作が実施される。そして、設置状況表示部６７５や予定錠剤表示部６７６で上記した表示動作（以下、比較画面表示動作とも称する）が実施される。
対して、もう一方のボタンである分包モニタボタン６７７ｂを押下することで、未分包データを対象として使用錠剤予測動作が実施され、比較画面表示動作が実施される。
【００８８】
さらに、使用錠剤予測動作で対象とするデータは、提供元指定ボタン６７７ｃを操作して機関等を指定することで、分包済データと未分包データのいずれかに対し、処方の発行元（機関、施設、部門等であり、以下、単に提供元とも称す）を基準とした絞り込みが可能となっている。
【００８９】
使用錠剤予測動作では、分包済データを対象とする場合、患者に対して錠剤が処方されることが予測される日（以下、想定日とも称す）を特定する想定日特定動作を予め全患者に対して実施しておき、その後に、指定期間内に想定日が含まれる患者を特定する動作を実施する。そして、特定した患者に紐づくデータに基づき、指定期間内に分包動作の対象となる可能性の高い錠剤を特定する。未分包データを対象とする場合、想定日特定動作は行わず、未分包データに含まれる分包動作の対象となる錠剤を特定する。
【００９０】
想定日特定動作では、それぞれの患者に処方された錠剤の投与開始日と、投与日数に関する情報に基づき、処方された錠剤が患者の手元から無くなる日を患者毎に算出しておく。すなわち、投与開始日に投与日数を加算することで、錠剤が患者の手元からなくなる日を算出する。そして、この処方された錠剤が患者の手元から無くなる日と同日又はこの日に所定期間を減算した日（例えば無くなる日の前日）を想定日とする。
【００９１】
そして、指定期間に想定日が含まれる患者を抽出し、抽出したそれぞれの患者に対して想定日に提供される錠剤に関するデータを取得する。より詳細には、錠剤の種別、投与量、分包数を取得又は算出する。
なお、分包済データを対象とする場合、それぞれの患者に対して過去に処方された錠剤が想定日に再度提供されるものとする。
このことから、指定期間に分包動作が実施される可能性の高い錠剤が特定される。
【００９２】
そして、この使用錠剤予測動作の結果に基づいて、上記した比較画面表示動作を実施する。すなわち、取得した情報又は取得した情報から算出した値に基づいて、比較画面表示動作を実施する。
なお、比較画面表示動作では、上記した予定錠剤表示部６７６におけるリスト表示の際、薬品名称（薬剤名）の他、カセットＮо、登場回数、使用量、在庫量のそれぞれを表示している。
【００９３】
「カセットＮо」は、それぞれの錠剤を収納する錠剤容器３６０に割り振られた、錠剤容器３６０を一意に特定する番号である。
「登場回数」は、それぞれの錠剤につき、抽出したデータに対して指定期間内に提供される全てを分包したとき、その錠剤が含まれる分包動作が実施される回数である。
「使用量」は、それぞれの錠剤につき、抽出したデータに対して指定期間内に提供される総量である。
「在庫量」は、錠剤容器３６０に現在収容されているそれぞれの錠剤の量である。
【００９４】
このとき、リスト表示変更ボタン６７９を押下することで、予定錠剤表示部６７６の表示の切り替えが可能となっている。すなわち、リスト表示変更ボタン６７９は、押下する毎に通常の表示状態と、強調表示されたものだけを表示する状態とを切り替え可能となっている。
【００９５】
さらに、推奨カセット画面６７０では、データ調整ボタン６７８を操作することで、上記した指定期間の変更や、使用錠剤予測動作で使用する対象データの調整を実施するための画面を表示させることが可能となっている。
本実施形態では、データ調整ボタン６７８として、当日対象変更ボタン６７８ａと想定日変更ボタン６７８ｂとが表示されている。
【００９６】
当日対象変更ボタン６７８ａを押下すると、データ調整用画面７００（図１４参照）が表示された状態となる。
データ調整用画面７００は、図１４で示されるように、期間表示部７０１と、データ表示部７０２と、繰越ボタン７０３と、日付変更ボタン７０４と、削除ボタン７０５と、戻るボタン７０６が表示される画面である。
【００９７】
期間表示部７０１は、自動で設定された指定期間が表示される部分である。ここで表示される指定期間は、上記した使用錠剤予測動作、比較画面表示動作で使用される指定期間である。
【００９８】
データ表示部７０２は、上記した使用錠剤予測動作で使用する対象データを患者毎にリスト表示する部分である。すなわち、一人の患者を特定する情報（患者名）と、この患者に関する情報（調剤日、想定日等）とを関連する１つの情報（一行分のデータであり、患者単位データとも称す）としてリスト表示する。
なお、このデータ表示部７０２で表示されるデータは、データ調整ボタン６７８（図１３参照）の押下時に対象データ変更部６７７で指定していた条件に該当するデータが対象となる。
【００９９】
繰越ボタン７０３は、データ表示部７０２の内外にそれぞれ表示されており、データ表示部７０２では、各患者単位データの一項目として表示されている。
そして、データ表示部７０２で表示されている繰越ボタン７０３を押下すると、繰越ボタン７０３を含む患者単位データの想定日にかかる項目を変更する。なお、データ表示部７０２で一以上の患者単位データを指定した状態（チェックボックスにチェックが入れた状態）とし、データ表示部７０２の外部に表示されている繰越ボタン７０３を押下した場合もまた、同様である。
具体的には、患者単位データに属する想定日の値を、期間表示部７０１に表示された指定期間の末日後（本実施形態では末日の翌日）となるように自動変更する。
【０１００】
日付変更ボタン７０４は、繰越ボタン７０３と同様に想定日の値を変更するためのボタンである。
【０１０１】
削除ボタン７０５もまた、データ表示部７０２の内外にそれぞれ表示されている。
このボタンは、患者単位データを削除するためのボタンであり、データ表示部７０２で表示されている削除ボタン７０５を押下することで、削除ボタン７０５を含む患者単位データを削除する。なお、データ表示部７０２で一以上の患者単位データを指定した状態で、データ表示部７０２の外部に表示されている削除ボタン７０５を押下した場合も同様である。
【０１０２】
戻るボタン７０６は、データ調整用画面７００の表示を終了し、推奨カセット画面６７０を表示させるボタンである。この戻るボタン７０６が押下されると、データ調整用画面７００での操作が反映され、使用錠剤予測動作、比較画面表示動作が実施される。
【０１０３】
想定日変更ボタン６７８ｂ（図１３参照）を押下することで表示される画面は、期間表示部７０１（図１４参照）に相当する部分で指定期間を手動入力できる点を除いて、データ調整用画面７００と同様であるので、詳細な説明を省略する。
なお、データ調整ボタン６７８は、当日対象変更ボタン６７８ａと想定日変更ボタン６７８ｂの二つのボタンに替わって、一つのみのボタンを表示してもよい。この場合、データ調整用画面７００の期間表示部７０１で指定期間の手動入力を可能とした画面を表示させてもよい。このとき、表示される画面では、自動で設定される指定期間が表示された状態で初期表示されるものとし、使用者の操作により指定期間の変更を可能なものとしてもよい。
【０１０４】
なお、上記した例では、各画面を操作表示部に表示した例を示したが、上記の各画面は、位置入力装置を持たない液晶ディスプレイのような表示装置に表示してもよい。
そして、操作表示部のような所謂タッチパネルに表示する場合、例えば、使用者が指やタッチペン等の操作用器具でボタン部分に触れることで、ボタンを押下する操作が実施される。対して、位置入力装置を持たない液晶ディスプレイのような表示装置に表示する場合には、公知の入力装置（マウス等）の操作に応じて移動するカーソルポインタを共に表示させる構造としてもよい。つまり、カーソルポインタを画面上でボタン部分に合わせた状態とし、入力装置側の所定ボタンを押下することで、ボタンを押下する操作が実施される構造としてもよい。
【０１０５】
上記した実施形態では、横搬送部３６６において、錠剤押出片部４３８によって錠剤を押し動かして搬送する例を示したが、一次搬送部としては、例えば、ローラコンベア、ベルトコンベア等の小型のコンベア装置を備えた構造が考えられる。
また、薬剤受止溝部４１０に替わって、底部分に排出口側へ向かって傾斜する傾斜面を有する受止部を形成することが考えられる。この場合、この傾斜面を振動させる機構をさらに設け、傾斜面に落下した錠剤を振動により移動させ、搬送する構造が考えられる。
【０１０６】
また、上記した推奨カセット画面６７０等の各画面は、外部の表示装置のような表示装置は、上記した薬剤提供業務支援システムを構築したとき、外部機器の表示装置に表示させることが考えられる。
【０１０７】
すなわち、上記した薬棚付包装装置１は、外部から供給された薬剤を１服用分ずつ包装して排出する薬剤包装装置と、前記薬剤包装装置に錠剤を供給するための薬棚装置を備えた薬剤分包ユニットであって、前記薬棚装置は、複数の錠剤容器を保持可能であり、それぞれの錠剤容器から供給された錠剤を所定位置まで搬送する錠剤搬送装置を有し、錠剤搬送装置は、一次搬送部と、二次搬送部を備え、前記一次搬送部は、前記薬棚装置側から前記薬剤包装装置側へ向かう方向と交わる方向へ錠剤を搬送する部分であり、前記二次搬送部は、前記薬棚装置側から前記薬剤包装装置側へ向かう方向へ錠剤を搬送するものであって、錠剤を前記一次搬送部で搬送した後に前記二次搬送部で搬送する動作と、錠剤を前記一次搬送部で搬送せずに前記二次搬送部で搬送する動作のそれぞれが可能である。
【０１０８】
そして、前記一次搬送部は、供給された錠剤を受け止める受止部と、錠剤押出片部とを備えており、前記錠剤押出片部は、前記一次搬送部における錠剤の搬送方向に移動可能であり、前記一次搬送部での錠剤の搬送動作は、前記受止部に位置する錠剤を前記錠剤押出片部によって押し動かして搬送する動作である。
【０１０９】
また、錠剤搬送装置は、前記錠剤容器から供給された錠剤が導入される導入部をさらに有し、前記導入部に錠剤が供給された後、前記導入部の内部に錠剤を一時的に収納し、前記一次搬送部側又は前記二次搬送部側へ錠剤を排出する。
【０１１０】
そして、前記導入部は、導入された錠剤を一次収納するための収納空間と、可動受止部材を有し、前記収納空間は、前記一次搬送部側又は前記二次搬送部側へ錠剤を排出するための排出口部を備え、さらに、前記導入部は、前記可動受止部材が可動することで、前記可動受止部材によって前記排出口部が閉塞される錠剤受止姿勢と、前記排出口部が外部と連通した状態となる錠剤受止姿勢とを切り替え可能である。
【０１１１】
また、前記可動受止部材は、前記錠剤受止姿勢時に水平方向に対して傾斜した傾斜面となる部分を有し、前記導入部は、前記傾斜面で導入された錠剤を受け止める。
【０１１２】
さらに、前記錠剤搬送装置は、経路形成部をさらに有し、前記経路形成部は、前記導入部及び前記一次搬送部の搬送方向下流側であり、前記二次搬送部の搬送方向上流側に設けられ、前記導入部又は前記一次搬送部から供給された錠剤を下方側に位置する前記二次搬送部へ供給するための経路を形成するものであり、前記経路形成部の内部には、錠剤の移動方向を規制する規制部材が形成されている。
【符号の説明】
【０１１３】
１；薬棚付包装装置（薬剤分包ユニット）、２；薬剤包装装置、３５０；錠剤カセット棚（薬棚装置）、３５１；薬棚付包装装置（薬剤分包ユニット）、３６０；錠剤容器、３６１；容器取付部、３６２；錠剤供給装置（錠剤搬送装置）、３６５；錠剤受止部（導入部）、３６６；横搬送部（一次搬送部）、３６７；落下経路形成部（経路形成部）、３６８；錠剤押出部（二次搬送部）、４１０；薬剤受止溝部（受止部）、４３８；錠剤押出片部、４６０；第１落下規制板（規制部材）、４６１；第２落下規制板（規制部材）、４９１；搬送体部、６６０；錠剤落下経路（錠剤供給経路）、６７６；設置状況表示部６７０；推奨カセット画面（推奨容器提示画面）、６７７；予定錠剤表示部